(57)【特許請求の範囲】
【請求項１】
放送情報を特定チャンネルで受信する受信部と、
ユーザによる記録開始操作時に上記受信部で受信している放送情報を記憶する放送情報記憶部と、
該放送情報記憶部に放送情報の記憶処理を行う放送情報記憶処理部と、
前記記録開始操作に基づき記憶を開始した番組の終了後に同一チャンネルで続いて放送される番組を継続して記憶する際、当該継続して記憶する番組の前記放送情報記憶部における記憶開始アドレスを保持するアドレス記憶部と、
前記放送情報記憶部の記憶容量を監視する記憶容量管理部と、
前記番組の終了後に放送される番組の放送情報の記録中に前記記憶容量管理部が前記放送情報記憶部の空き容量がなくなることを検知した場合、前記アドレス記憶部に記憶された当該検知時刻に最も近い時刻から記憶を開始した記憶開始アドレス以降に継続して当該放送情報を上書き記憶処理する上書き記憶処理部とを備えたことを特徴とする番組記憶装置。
【請求項２】
請求項１記載の番組記憶装置において、前記放送情報記憶処理部は追いかけ再生を行うための記憶処理を行うことを特徴とする番組記憶装置。
【請求項３】
請求項１記載の番組記憶装置において、前記放送情報はテレビ放送情報であり、前記放送情報記憶部にテレビ番組の映像と音声を記憶することを特徴とする番組記憶装置。
【請求項４】
請求項１記載の番組記憶装置において、前記放送情報はラジオ放送情報であり、前記放送情報記憶部にラジオ番組の音声を記憶することを特徴とする番組記憶装置。
【請求項５】
放送情報を特定チャンネルで受信するステップと、
記録開始指示に基づき放送情報記憶部に前記受信した放送情報を記憶する処理を行う放送情報記憶処理ステップと、
前記記録開始指示に基づき記憶を開始した番組の終了後に同一チャンネルで続いて放送される番組を継続して記憶する際、当該継続して記憶する番組の前記放送情報記憶部における記憶開始アドレスを保持するアドレス記憶ステップと、
前記放送情報記憶部の記憶容量を監視する記憶容量管理ステップと、
前記番組の終了後に放送される番組の放送情報の記録中に前記放送情報記憶部の空き容量がなくなることを検知した場合、当該検知時刻に最も近い時刻から記憶を開始した記憶開始アドレス以降に継続して当該放送情報を上書き記憶処理するステップを備えたことを特徴とする番組記憶方法。
【発明の詳細な説明】
【０００１】
【発明の属する技術分野】
本発明は、地上波やＢＳやＣＳ等のテレビ番組等に代表されるテレビ放送映像を、ハードディスクやＤＶＤ等の記憶媒体に記憶するにあたって、特に記憶中に記憶媒体の容量が残り少なくなっても更に記憶を続けなければならないときに、それまで記憶したテレビ放送映像の中でユーザが最優先に視聴したい番組は決して消去せずに残したまま記憶を続行する番組記憶装置及び方法に関する。
【０００３】
【従来の技術】
近年のマルチメディアシステムの発達によって、ユーザはテレビ番組等の動画像を簡単にパーソナルコンピュータに記憶することが可能となっている。また、番組をパーソナルコンピュータに記憶するにあたっては、パーソナルコンピュータ上の記憶媒体であるハードディスクのランダムアクセス可能な特性を利用したり、デジタル化された電子番組情報のデータを利用する等して、これまでは実現できなかった様々な番組の記憶処理が行われるようになった。
【０００４】
例えば、特開平６−２４５１５７号公報には、放送された番組の映像及び音声信号を含むテレビ信号を受信するテレビ受信手段と、該テレビ受信手段が受信したテレビ信号をランダムアクセス可能な記憶媒体に記録する記録手段と、該記録手段が上記記録媒体に記録しつつあるテレビ信号を任意の時点から再生し得る再生手段とを具備する記録再生手段が開示され、また再生されたテレビ信号の映像信号により表される映像を表示する映像表示手段と、再生されたテレビ信号の音声信号により表される音声を出力する音声出力手段と、上記記録再生装置による再生の停止及び再開を制御するための制御入力手段とを備えたテレビ受像機が開示されている。
【０００５】
これらのテレビ受像機や映像音響システムは、同時に記録及び再生をする能力を有するため、放送中の番組を受信しながら、その番組の記録再生を行い、また番組の進行を一時止めてしかる後進行を再開させることができるという利点がある。
例えば、電話を受けるため視聴者がテレビ受像機から離れなければならないときは、リモコンまたはテレビ受像機に設けられた選択手段を選択することで、その時点からテレビ番組の記録が始まり、電話を終えて戻ってきたときには、再生命令を出力する選択手段を選択することによって、電話を受けるために視聴者がテレビ受像機から離れた瞬間から記録されたテレビ映像が再生され、再生中もリアルタイムにテレビ放送番組を受信し、それを記録することができるものである。
なお、このように記録しながら再生を行うことを「追いかけ再生」と呼んでいる。
【０００６】
また、異なる従来例として、遠隔地から電子メールを用いてコンテンツ記録装置を制御するものが知られている。
例えば、特開平１０−２４７３４５号公報には、映像若しくは音声またはその両方を記録し、再生する記録再生装置を遠隔操作するための記録再生装置遠隔操作システムが開示されている。
【０００７】
図２３は、この従来の記録再生装置遠隔操作システムを示す図であり、記録再生装置９２を操作するための操作情報９４を含む電子メールを、電子メール送受信装置９１が通信回線９３を介して記録再生装置９２に送信し、記録再生装置９２は受信した電子メールに含まれる操作情報９４から記録再生装置９２の操作信号を生成し、その信号に従い記録再生装置９２の記録再生動作を制御させようとするものである。また、記録再生装置９２は、記録再生装置の動作情報９５を含む電子メールを、電子メール送受信装置９１に送信することによって、コンテンツを記憶するような予約が完了したことや、記憶が終了したことや、予約の状況を電子メール送受信装置９１に通知することができるというものである。
【０００８】
【発明が解決しようとする課題】
しかし、特開平６−２４５１５７号公報に開示されたものには、テレビ受信手段が受信したテレビ信号を記憶するランダムアクセス可能な記憶媒体の容量には限りがあるので、記憶容量がなくなると記憶を行うことができなくなるという問題点がある。
例えば、電話を受けるための視聴者がテレビ受像機から離れなければならなくなり、リモコン又はテレビ受像機に設けられた選択手段をユーザが選択することで記憶が開始されたにもかかわらず、電話で長時間話し続けたため、その間記憶媒体の記憶可能な容量が減り続け、最後には記憶できなくなって、ユーザが記憶を望む番組が記憶されないという事態が生ずる可能性が有る。
【００１２】
そこで本発明は、特開平６−２４５１５７号公報に開示されたものの問題点を解決すること、つまり、記憶中に記録媒体の容量が残り少なくなってきたにもかかわらず更に記憶を続けなければならない時でも、ユーザが記憶を望む番組を正常に記憶し続ける番組記憶装置を提供することを目的とする。
【００１４】
【課題を解決するための手段】
本発明は、従来技術が有している課題を解決するためになされたもので、その第１の技術手段は、放送情報を特定チャンネルで受信する受信部と、ユーザによる記録開始操作時に上記受信部で受信している放送情報を記憶する放送情報記憶部と、該放送情報記憶部に放送情報の記憶処理を行う放送情報記憶処理部と、前記記録開始操作に基づき記憶を開始した番組の終了後に同一チャンネルで続いて放送される番組を継続して記憶する際、当該継続して記憶する番組の前記放送情報記憶部における記憶開始アドレスを保持するアドレス記憶部と、前記放送情報記憶部の記憶容量を監視する記憶容量管理部と、前記番組の終了後に放送される番組の放送情報の記録中に前記記憶容量管理部が前記放送情報記憶部の空き容量がなくなることを検知した場合、前記アドレス記憶部に記憶された当該検知時刻に最も近い時刻から記憶を開始した記憶開始アドレス以降に継続して当該放送情報を上書き記憶処理する上書き記憶処理部とを備えた番組記憶装置であることを特徴とする。
【００１９】
第２の技術手段は、第１の技術手段の番組記憶装置において、前記放送情報記憶処理部は追いかけ再生を行うための記憶処理を行うことを特徴とする。
【００２０】
第３の技術手段は、第１の技術手段の番組記憶装置において、前記放送情報はテレビ放送情報であり、前記放送情報記憶部にテレビ番組の映像と音声を記憶することを特徴とする。
【００２１】
第４の技術手段は、第１の技術手段の番組記憶装置において、前記放送情報はラジオ放送情報であり、前記放送情報記憶部にラジオ番組の音声を記憶することを特徴とする。
【００２２】
第５の技術手段は、放送情報を特定チャンネルで受信するステップと、記録開始指示に基づき放送情報記憶部に前記受信した放送情報を記憶する処理を行う放送情報記憶処理ステップと、前記記録開始指示に基づき記憶を開始した番組の終了後に同一チャンネルで続いて放送される番組を継続して記憶する際、当該継続して記憶する番組の前記放送情報記憶部における記憶開始アドレスを保持するアドレス記憶ステップと、前記放送情報記憶部の記憶容量を監視する記憶容量管理ステップと、前記番組の終了後に放送される番組の放送情報の記録中に前記放送情報記憶部の空き容量がなくなることを検知した場合、当該検知時刻に最も近い時刻から記憶を開始した記憶開始アドレス以降に継続して当該放送情報を上書き記憶処理するステップを備えた番組記憶方法であることを特徴とする。
【００２６】
【発明の実施の形態】
以下、本発明の実施の形態を図１〜図９に示す実施例及び図１０〜図２２に示す参考例に基づいて説明する。
（実施例）
図１は実施例の番組記憶装置１０の外観を示す図、図２は番組記憶装置１０の構成を示すブロック図である。なお、実施例では、番組記憶装置１０がテレビ放送を受信し、ユーザに映像情報と音声情報を提示し、また映像情報と音声情報を記憶する例を対象としているが、本発明はテレビ放送の例に限られるものではなく、音声情報のみが送られるラジオ放送の音声情報に対しても適用することができる。
番組記憶装置１０は、外観的には、表示手段１１、入力手段１２、音声出力手段１３を備えている。入力手段１２はパーソナルコンピュータ（ＰＣ）で用いられるキーボードを用いて実現できる。また、内部的には、図２に示されているように表示手段１１、入力手段１２、音声出力手段１３、チューナ部１４、放送映像音声抽出部１５、番組情報抽出部１６、番組情報記憶部１７、中央演算処理装置１８、第１記憶装置１９、第２記憶装置２０、アンテナ２１等を備えている。
【００２７】
また、入力手段１２は、電源１２１、記録開始選択手段１２２、設定画面表示選択手段１２３、設定選択手段１２４、チャンネル変更手段１２５、追いかけ再生指示選択手段１２６を備えている。
電源１２１はユーザが選択することで、番組記憶装置１０に電源投入命令を与えることができる選択手段である。
記録開始選択手段１２２は、例えばテレビ放送映像をユーザが視聴している最中に電話がかかってきて、ユーザがテレビの前から離れなくてはならなくなったときにユーザが選択することで、番組記憶装置１０に記憶開始命令を与えることができる選択手段である。
設定画面表示選択手段１２３は、ユーザが選択することによって図４に示すような設定画面を表示させる命令を与えることができる選択手段である。
設定選択手段１２４は、ユーザが選択することによって図４に示すような設定画面の設定内容を変更する命令を出力することができる選択手段である。
チャンネル変更手段１２５は、ユーザが選択することでチューナ部１４で抽出する特定のチャンネル（周波数）を放送電波を変更するような命令を与えることができる選択手段である。
追いかけ再生指示選択手段１２６は、電話を終えてテレビの前に帰ってきたときユーザがこの選択手段を選択することでその時点から追いかけ再生を行うような命令を出力することができる選択手段である。
【００２８】
第１記憶装置１９は、ＲＯＭ（Read Only Memory）で構成されており、映像音声記憶処理部１９１、記憶時間算出処理部１９２、時間計測部１９３、上書き記憶処理部１９４、現在時刻記憶部１９５、記憶容量管理部１９６を備えている。映像音声記憶処理部１９１は、テレビの放送の映像及び音声を放送映像音声記憶部２０１に記憶する処理を行う処理部である。
記憶時間算出処理部１９２は、現在記憶中の番組が後何分で放送終了するかを算出する処理部である。
時間計測部１９３は、記憶時間算出処理部１９２が算出した時間を計測する処理部である。
上書き記憶処理部１９４は、放送映像音声記憶部２０１の記憶容量がなくなったときに、放送映像音声記憶部２０１にテレビ放送の映像及び音声を上書きするような処理を行う処理部である。
現在時刻記憶部１９５は、現在時刻を記憶している処理部である。
記憶容量管理部１９６は、放送映像音声記憶部２０１の容量を管理している。
【００２９】
第２記憶装置２０は、ＲＡＭ（Randam Access Memory）で構成されており、テレビ放送の映像と音声を記憶する放送映像記憶部２０１、番組記憶情報記憶部２０２、記憶方式設定情報記憶部２０３を備えている。放送映像音声記憶部２０１は、ランダムアクセス可能なハードディスクやＤＶＤ等の記憶装置で実現可能である。
放送映像音声記憶部２０１はテレビ放送映像を記憶する領域である。
番組記憶情報記憶部２０２は、現在放送映像音声記憶部２０１に記憶中の番組が放送映像音声記憶部２０１のどのアドレスから記憶され始めたかを示す開始アドレスを記憶している記憶部である。また、放送映像音声記憶部２０１に記憶中の番組に対し、重要度マークや優先順位を付与し、それらをテーブル管理することで、上書き記憶時に重要度の低い番組順に放送映像音声を消去して上書き記憶処理を行なうこともできる。
記憶方式設定情報記憶部２０３は、図４の設定画面の設定内容を示すフラグを記憶している記憶部である。図４でユーザか上のチェックボックスにチェックをつけた場合はフラグは１となり、下のチェックボックスにチェックを付けた場合はフラグは０となる。
【００３０】
ここで、図２に基づいて実施例１の番組記憶装置の構成要素の処理動作について説明する。
アンテナ２１で受信したテレビ放送電波は、チューナ部１４によって特定のチャンネル（周波数）の放送電波が抽出される。テレビ放送電波は、番組放送映像音声情報とそれに重畳された番組情報（ＥＰＧ：Electric Program Guide）から構成されているので、番組情報抽出部１７によって抽出された番組情報は、番組情報記憶部１７に記憶される。
番組放送の映像情報と音声情報は、放送映像音声抽出部１５によって抽出され、映像は表示手段１１に表示され、音声は音声出力手段１３から出力される。
中央演算処理装置１８は、各構成要素の制御及び番組記憶装置全体の制御を行う。
【００３１】
図３は番組情報が番組情報記憶部１７に記憶されている様子を示した図である。番組情報は、各々の番組に対して放送日時３１、開始時刻３２、終了時刻３３、チャンネル３４、タイトル３５、ジャンル３６、詳細情報３７から構成されている。
【００３２】
図４に示す設定画面は、ユーザが記録開始選択手段１２２を選択して、テレビ放送の映像と音声を放送映像音声記憶部２０１に記憶中に、放送映像音声記憶部２０１の容量がなくなってしまったときに、どのような処理を行うかを設定する画面である。テレビ放送の映像と音声を放送映像音声記憶部２０１に記憶中に、放送映像音声記憶部２０１の容量がなくなってしまったときに、どのような処理を行うかは２通りの処理から選択することができる。
図４に示す設定画面の上のチェックボックスにユーザが設定選択手段１２４を利用して図示のようにチェックを付けておくと、テレビ放送の映像と音声を記憶中に放送映像音声記憶部２０１の容量がなくなると、記憶を始めた部分からの映像を消して行ってその部分から上書き処理を行う。
また、図４の下のチェックボックスにユーザが設定選択手段１２４を利用してチェックを付けておくと、テレビ放送の映像と音声を記憶中に放送映像音声記憶部２０１の容量がなくなると、放送映像音声記憶部２０１に記憶されている番組の中で現在時刻（前記放送映像音声記憶部２０１の容量がなくなった時の時刻、つまり上書き開始時刻）に最も近い時間（時刻）から始まった番組が記憶開始されている位置から上書き記憶を行う。
【００３３】
なお、放送映像音声記憶部２０１に記憶した番組中で、上書きされてはならない重要な番組に対し、重要度マークまたは重要度の優先順位を付与し、これらをテーブル管理することにより、上書き記憶処理時に重要度または優先順位の低い順に上書き記憶を許すようにしておくことができる。その場合には、図４に示す設定画面に表示された２つのチェックボックスに加えて、「優先順位の低い部分から上書きする」のようなチェックボックスを加えるので、３通りの処理から選択することができる。
【００３４】
図２に示す番組記憶装置１０の詳細動作を図５〜図７に示すフローチャートに基づいて説明する。
図５は、番組記憶装置１０の電源ＯＮ時の処理を示すフローチャートである。以下、この処理について説明する。
（ステップ１）ユーザによって電源１２１が選択され、電源ＯＮ命令が出力されたかどうかを監視する。電源ＯＮ命令が出力されればステップ２へ、出力されなければステップ１で監視を続ける。
（ステップ２）テレビ放送の映像と音声を受信するために必要な処理（アンテナやチューナ部によるテレビ放送電波の受信）を開始し、テレビ放送の映像と音声を表示手段１１に表示し、音声を音声出力手段１３に出力する。このとき、ユーザはチャンネル変更手段１２５を操作してチャンネル変更命令を出力することで、受信するテレビ放送電波の周波数を変化させ、受信チャンネルを変更することができる。
（ステップ３）ユーザによって設定画面表示選択手段１２３が選択されるかどうかを監視する。選択されたらステップ５へ、選択されなければステップ４へ進む。
【００３５】
（ステップ４）ユーザによって記録開始選択手段１２２が選択されるかどうかを監視する。選択されたらＡの処理を行う。選択されなければステップ２へ戻り、テレビ放送映像を表示手段１１に表示し続ける。ここで、ユーザによって記録開始選択手段１２２が選択されるタイミングは、テレビ放送の映像と音声を視聴しているときに電話がかかってきてしまって、ユーザがテレビの前を離れなければならなくなった時などが考えられる。
（ステップ５）ステップ３でユーザによって設定画面表示選択手段１２３が選択されたら、図４に示す設定画面を表示手段１１に表示する。
（ステップ６）ユーザが設定選択手段１２４を選択したことによって図４に示す設定画面の設定内容が変更されたかどうかを判断する。変更されればステップ７へ進み、変更されなければそのままステップ６で監視を続ける。
【００３６】
（ステップ７）記憶方式設定情報記憶部２０３のフラグの内容を更新する。具体的には、図４に示す設定画面のチェックボックスでユーザが「始めの部分から上書きする」にチェックをつけていた場合はフラグに１を、「番組が変わった部分から上書きする」にチェックを付けていた場合にはフラグに０を代入する。フラグ情報を更新した後はステップ２に戻り、テレビ放送映像の表示をし続ける。
【００３７】
次に、図６に示すフローチャートに基づいて、Ａの処理について説明する。なお、Ａの処理は図５のステップ４に続く処理、すなわち、ユーザが電話がかかってくるなどして現在視聴している番組を視聴できなくなってしまうときに、記録開始選択手段１２２を選択して、テレビ放送映像を記憶するような命令を出力したときの処理である。
【００３８】
（ステップ１１）映像音声記憶処理部１９１が起動する。
（ステップ１２）ステップ１１で起動した映像音声記憶処理部１９１は、記憶時間算出処理部１９２を起動させる。
（ステップ１３）ステップ１２で起動した記憶時間算出処理部１９２は、ユーザが記録開始選択手段１２２を選択して現在記憶されている番組が終了するまであと何分あるかを算出する。具体的には、番組情報記憶部１７に記憶されている番組情報の放送日時３１とチャンネル３４を参照して、記憶対象となっている番組の終了時刻３３を調べ、その時刻と、現在時刻記憶部１９５に記憶されている現在時刻とを比較し、あと何分後に現在記憶されている番組が終了するかを算出する。
【００３９】
（ステップ１４）記憶時間算出処理部１９２は、ステップ１３で算出した時間を時間計測部１９３にセットする。
（ステップ１５）時間計測部１９３はステップ１４でセットされた時間の計測開始を始める。
（ステップ１６）ステップ１１で起動した映像音声記憶処理部１９１は、放送映像音声記憶部２０１にテレビ放送の映像と音声を記憶するにあたって、記憶する先頭の開始アドレスを調べ、その値を番組記憶情報記憶部２０２に記憶する。例えば、今「番組１」を記憶するにあたって、図８で示されているように、記憶を開始する先頭のアドレスが“００１６”であれば、この“００１６”というアドレスの値を番組記憶情報記憶部２０２に記憶する。このとき、すでに番組記憶情報記憶部２０２に何か情報が記憶されている場合は、そのデータを消してから新しいデータを記憶する。
【００４０】
（ステップ１７）映像音声記憶処理部１９１は、放送映像記憶部２０１にテレビ放送の映像と音声の記録を開始する。このとき、ステップ１６で調べたアドレスを先頭アドレスとして記憶を開始する。
（ステップ１８）映像音声記憶処理部１９１は、時間計測部１９３のタイマの値が０になったか（つまり、現在記憶中であった番組が終わって次の番組が始まったか）を調べる。０になっていればステップ１９へ、０になっていなければステップ２０に進む。
（ステップ１９）映像音声記憶処理部１９１は、記憶方式設定情報記憶部２０３のフラグが１であるどうかを調べる。１であった場合はステップＳ１７に進みそのまま番組の記憶を続行する。０の場合は、ステップＳ１２に進み、再び次の番組が終了するまでの時間を算出して、その時間を時間計測部１９３に代入する。
【００４１】
（ステップ２０）映像音声記憶処理部１９１は、ユーザによって追いかけ再生指示選択手段１２６が選択されたかどうかを監視する。選択されれば、ステップ２１へ、選択されなければステップ２２に進む。
（ステップ２１）追いかけ再生処理を行う。なお、追いかけ再生処理の技術的な方法については特開平６−２４５１５７号公報等で既に開示されており、本発明のポイントではないので詳しくは述べないが、放送された番組の映像及び音声信号を含むテレビ信号を受信するテレビ受信手段と、上記テレビ受信手段が受信したテレビ信号をランダムアクセス可能な記録媒体に記録する記録手段と該記録手段が上記記録媒体に記録しつつあるテレビ信号を任意の時点から再生し得る再生手段とを具備する記録再生手段と、再生されたテレビ信号の映像信号により表される映像を表示する映像表示手段と、再生されたテレビ信号の音声信号により表される音声を出力する音声出力手段と、上記記録再生装置による再生の停止及び再開を制御するための制御入力手段とを備えることで実現可能である。
（ステップ２２）記憶容量管理部１９６は、放送映像記憶部２０１の記憶容量（残量）がなくなったかどうかを調べる。容量がなくなっていれば、Ｂの処理を行う。容量がなくなっていなければステップ１７に戻って記憶を続行する。
【００４２】
次に、図７に示すフローチャートに基づいて映像音声記録処理部１９１が放送映像音声記憶部２０１にテレビ放送の映像と音声を記憶中に、放送映像音声記憶部２０１の容量がなくなってしまったときの処理Ｂについて説明する。
（ステップ３１）上書き記憶処理部１９４が起動する。
（ステップ３２）上書き記憶処理部１９４は、番組記憶情報記憶部２０２に格納されているアドレスを参照する。
（ステップ３３）上書き記憶処理部１９４は、ステップ３２で参照したアドレスを映像音声記憶処理部１９１に渡す。
（ステップ３４）映像音声記憶処理部１９１は、ステップ３３で渡されたアドレスから記憶をし続ける。
【００４３】
ここで、図９に基づいて図７に示す上書き記憶処理が動作したときの具体的な記憶方法について説明する。今、ユーザが「番組１」を見ているときに電話がかかってきて、テレビの前を離れなければならなくなり、記録開始選択手段１２２を選択したとする。放送映像音声記憶部２０１の開始アドレスが００１６で、００１６から「番組１」が記憶され始め、００１９までのアドレス領域に記憶され、その後「番組２」が始まってしまい、「番組２」は００１Ａから００２Ｃのアドレス領域に記憶された後に放送映像記憶部２０１の容量がなくなってしまったと仮定する。
【００４４】
このとき、図４に示す仮定画面で、ユーザが“始めの部分から上書きする”のチェックボックスにチェックをしていれば、番組記憶情報記憶部２０２には放送映像音声記憶部の開始アドレス“００１６”が記憶されており、映像音声記憶処理部１９１はこのアドレス情報を用いて、アドレスが“００１６”の領域から再び「番組２」の続きの映像を記録し始める。
また、図４に示す設定画面で、ユーザが“番組が変わった部分から上書きする”のチェックボックスにチェックをしていれば、番組記憶情報記憶部２０２には番組が変わった部分のアドレス“００１Ａ”が記憶されており、映像記憶処理部１９１はこのアドレス情報を用いて、アドレスが“００１Ａ”の領域から再び「番組２」の続きの映像を記録し始める。
【００４５】
以上説明した実施例は、放送で送られてきた番組情報に基づいて、ユーザが番組記憶装置側で記憶すべきコンテンツを選択して放送映像音声記憶部にテレビ放送の映像と音声の上書き記憶を行い、追いかけ再生を可能としたものである。
次に、ユーザが電子メール等の通信手段を用いて番組記憶装置から離れた遠隔地から記憶すべきコンテンツを選択して上書き記憶を行うようにすることが考えられる。コンテンツとしては、有線放送などの音楽・地上波や衛星放送、ＣＳ放送、有線放送等で送られてくるテレビ映像と音声、ラジオ放送等が考えられるが、以下は、コンテンツを地上波テレビ番組としたときの参考例である。
【００４６】
（参考例）
図１０は、参考例のコンテンツ記憶装置遠隔操作システムの外観を示す図である。
コンテンツ記憶装置遠隔操作システム４０は、電子メール送受信装置４１と通信回線４３を通じて結ばれたコンテンツ記憶装置４２から構成されている。
電子メール送受信装置４１は、少なくとも電子メール送信機能を有したパーソナルコンピュータで実現可能である。
コンテンツ記憶装置４２は、コンテンツがテレビ番組であると仮定するならば、テレビ放送電波を受信するチューナと、電子メール受信機能を有したパーソナルコンピュータで実現可能である。
また、通信回線４３は、インターネットが現状において最も一般的に実現可能である。
電子メール送受信装置４１は、コンテンツ記憶装置４２へ通信回線４３を介してコンテンツ記憶予約の操作情報４４を含んだ電子メールの送信を行う。
【００４７】
まず、電子メール送受信装置について説明する。
図１１は、利用者が遠隔地から操作することによって、コンテンツ記憶装置４２に電子メールによって、記憶予約命令を与えることが可能である電子メール送受信装置４１のブロック図を示しており、パーソナルコンピュータ（ＰＣ）で代表されるコンピュータシステムで実現させた例である。
電子メール送受信装置４１の構成要素は、各構成要素の演算の制御及び電子メール送受信装置４１全体の制御を行う中央処理装置５０、モデムに代表されるようなデータを電気信号としてコンテンツ記憶装置４２に送信する通信手段４７、ディスプレイに代表される表示手段４８、キーボードやマウスに代表される入力手段４９、ハードディスク等に代表される記憶手段４６、ＲＯＭ、ＯＳローダ等４５から構成されている。
また、記憶手段４６は、ＯＳ（Operating System ）４６１、作成された電子メールをコンテンツ記憶装置４２に送信する処理を行う電子メール送信手段４６２、電子メールを作成する処理を行う電子メール作成手段４６３から構成されている。
【００４８】
電子メール送受信装置４１の電源が投入されたとき、まずＲＯＭ４５内に存在するＯＳローダが起動し、記憶手段４６上に存在するＯＳ４６１が展開される。
次に、記憶手段４６上に展開されたＯＳ４６１が起動し、利用者が入力手段４９を用いて入力した命令にあわせて各手段が起動される。
【００４９】
図１２は、利用者が入力手段４９を利用して電子メール送信処理命令を出力した時の各構成要素の処理の様子を示すフローチャートである。以下、このフローチャートについて説明する。
（ステップ４１）利用者によって入力手段４９が選択され、メール作成命令が出力されたかを監視する。メール作成命令が出力されればステップ４２へ、出力されなければステップ４１でそのまま監視を続ける。
（ステップ４２）メール作成手段４６３が起動する。
（ステップ４３）利用者が入力手段４９を利用することで、メールのフォーマットを入力する。
（ステップ４４）メール送信手段４６２によって、メールがコンテンツ記憶装置４２に送信される。このとき送信される電子メールは、モデム等の通信手段４７によって、データを電気信号として変換し、通信回線４３を通じてコンテンツ記憶装置４２に送信される。
なお、ステップ４３で利用者が入力する電子メールのフォーマットの一例を図１３に示す。電子メールは、利用者を識別するための利用者ＩＤ５１、利用者が不正な者であるかどうかを判断するためのパスワード５２、記憶を開始する日付を示す記憶開始日５３、記憶を開始する時間を示す記憶開始時間５４、記憶を終了するための終了時間をを示す記憶終了時間５５、記憶をするチャンネルを示す記憶チャンネル５６から構成されている。
【００５０】
図１４は、図１３に示した電子メールのフォーマットに従って、実際に作成した電子メールの例を示している。図１４で、図１３と番号が同じ項目は、同様の項目を示している。
電子メールには図１３のフォーマットにコンテンツ記憶装置４２の宛先を表す電子メールアドレス５７、この電子メールのタイトル５８が付加されており、コンテンツ記憶装置４２は、電子メールのタイトル５８がこの例のように“記憶予約メール”となっていれば、この電子メールは記憶予約のための操作情報４４を含んだ電子メールであると解釈し、本電子メールを解釈して記憶予約を実行することになる。
また、この電子メールは、利用者ＩＤ５１が“ｈｓｋｅｉ４５３”、パスワード５２が“１２３４”、記憶開始日５３が、“２０００年３月２１日”、記憶開始時間５４が、“２０：００”、記憶終了時間５５が、“２１：００”、記憶チャンネル５６が“４”である。
【００５１】
次に、コンテンツ記憶装置４２について説明する。
図１５は、電子メール送受信装置４１から送信されてきた操作情報４４を含んだ電子メールを受信することによって、記憶予約の処理を実行することが可能であるコンテンツ記憶装置４２のブロック図を示しており、これをパーソナルコンピュータ（ＰＣ）で代表されるコンピュータシステムで実現させた例である。
コンテンツ記憶装置４２の構成要素は、テレビ放送電波を受信するアンテナ７０、アンテナ７０で受信したテレビ放送電波の中から特定のチャンネル（周波数）の電波を抽出するチューナ部６１、チューナ部６１で抽出したテレビ放送電波の中から放送映像音声を抽出する放送映像音声抽出手段６２、モデムに代表される通信回線４３を通じて送られてきた電気信号を受信する通信手段６３、ＯＳ、ローダ等６４、各装置間の演算の処理を司る中央処理装置６５、マウスやキーボードに代表される入力手段６６、ＲＡＭに代表される第１記憶手段６７、ＲＯＭに代表される第２記憶手段６８、現在時刻を刻んだり、時間の経過の監視を行う時計機能手段６９から構成されている。
【００５２】
第１記憶手段６７は、現在記憶予約されているコンテンツのリスト（図１７）を記憶している予約情報記憶手段６７１、コンテンツ記憶装置４２を利用することが許されている利用者の利用者ＩＤやパスワードを記憶している利用者ＩＤ、パスワード記憶手段６７２、放送映像音声抽出手段６２によって抽出されたコンテンツを記憶するコンテンツ記憶部６７３から構成されている。
なお、予約情報記憶手段６７１には、図１７で示されるように、記憶予約されたコンテンツが予約日と記憶開始時刻が早い順に並んでおり、記憶予約したコンテンツの予約日、記憶開始時刻、記憶終了時刻、放送チャンネルが格納されている。
【００５３】
第２記憶手段６８は、予約情報記憶手段６７１に記憶予約を行うコンテンツの情報である予約日、記憶開始時刻、記憶終了時刻、放送チャンネルを格納する記憶予約処理手段６８１、メールを受信するメール受信手段６８２、受信したメール情報の解釈を行うメール情報解釈手段６８３、記憶予約するコンテンツが同じ時刻に２つ以上重複していないかを判断する重複予約チェック手段６８４、コンテンツの記憶の開始処理を行う記憶開始手段６８５、コンテンツ記憶部６７３にコンテンツを記憶する処理を行う記憶処理実行手段６８６、コンテンツの記憶の終了処理を行う記憶終了手段６８７、ＯＳ（Operating System ）６８８から構成されている。
【００５４】
時計機能手段６９は、現在の年月日時刻を記憶している年月日時刻記憶部６９１、ある時間だけカウントすることができるタイマ６９２から構成されている。
また、入力手段６６は、少なくとも利用者が選択することで記憶予約をするための指示を出力することができる記憶予約指示選択手段６６１、数字を入力することが可能なテンキー６６２から構成されている。
【００５５】
コンテンツ記憶装置４２の電源が投入されたとき、まず、ＯＳローダ６４が起動し、第２記憶手段６８上に存在するＯＳ６８８が第１記憶手段（ＲＡＭ）６７上に展開される。次に、第１記憶手段（ＲＡＭ）６７上に展開されたＯＳが起動し、各処理手段の起動が開始されることとなる。
コンテンツ記憶装置４２は、記憶予約を行う操作情報４４を含んだ電子メールを受信して記憶予約処理を行うことが可能であるだけではなく、利用者が自宅で直接コンテンツ記憶装置４２を操作して記憶予約処理を行うことができる。
【００５６】
以下、図１６に示すフローチャートに基づいて、利用者が自宅で記憶予約処理を行ったときの処理について説明する。
（ステップ５１）利用者が記憶予約指示選択手段６６１を選択したかどうか判断する。選択したときにはステップ５２へ、選択しなければ続けてステップ５１で処理を続ける。
（ステップ５２）記憶予約処理手段６８１が起動する。
（ステップ５３）利用者がテンキー６６２を利用して入力した記憶予約情報（予約日、記憶開始時刻、記憶終了時刻、チャンネル）を予約情報記憶手段６７１に格納する。例えば、利用者が「２０００年３月２２日に９時１０分から９時２０分まで６チャンネルを記憶せよ」と入力したならば、この情報は図１８のＮｏ４で表されているように格納する。
【００５７】
（ステップ５４）重複予約チェック手段６８４が起動する。
（ステップ５５）ステップ５４で起動した重複予約チェック手段６８４は、予約情報記憶手段６７１を参照して、記憶予約時間が重複している項目があるかどうかを判断する。全く重複していなければＣの処理（記憶予約処理）を行う。すべて重複していればステップ５６へすすみ、一部重複していればステップ５８へ進む。
ここで、「まったく重複していない」、「すべて重複している」、「一部重複している」の概念を説明すると、
１）図１７で示されるように、記憶予約を設定した各コンテンツの記憶日時が全く異なっていれば全く重複していないと考える。
２）図１８で、今Ｎｏ４の記憶予約を設定したとすると、Ｎｏ４の記憶予約時間はＮｏ３の記憶予約時間の中にすべて含まれているので、このような場合はすべて重複していると考える。
３）図１９で、今Ｎｏ４の記憶予約を設定したとすると、Ｎｏ４の記憶予約時間は、Ｎｏ３の記憶予約時間と一部重複している（９：００〜９：２０までが重複している）ので、このような場合は一部重複していると考える。
【００５８】
（ステップ５６）すべて重複しているならばステップ５７に進む。
（ステップ５７）記憶予約処理手段６８１は、新しく設定した記憶予約情報を削除してＣの処理（記憶予約処理）を行う。ここで、新しく設定した記憶予約情報を削除するという処理とは、図１８でＮｏ３の記憶予約時間とすべて重複しているＮｏ４の記憶予約を削除するという処理である。Ｎｏ４の記憶予約を削除することによって、予約情報記憶手段６７１には図１７で示されているような情報が記憶されていることとなる。
（ステップ５８）一部重複しているならばステップ５９に進む。
（ステップ５９）記憶予約処理手段６８１は、重複しないように開始時刻、終了時刻を修正し、その後Ｃの処理（記憶予約処理）を行う。
ここで、重複しないように開始時刻、終了時刻を修正するという処理は、図１９で新しく予約を行ったＮｏ４の記憶予約時間がＮｏ３の記憶予約時間に重ならないように、記憶予約時間を変更するという処理である。
【００５９】
図１９では、Ｎｏ４の記憶予約時間がＮｏ３の記憶予約時間に９時から９時２０分まで重なっているので、この時間帯の記憶予約を削除して、新しい記憶予約時間として、８時から９時までに変更を行う。
図２０は、変更を行った後の予約情報記憶手段６７１の様子を示した図である。変更後はＮｏ３の記憶予約時間とＮｏ４の記憶予約時間が全く重なっておらず、かつ、後から記憶予約を行ったＮｏ４が他の予約時間と重ならない時間帯はすべて記憶予約するように予約時間が変更されている。
以上のように、図１６の処理が利用者が自宅で記憶予約処理を行ったときの動作である。
【００６０】
次に、図２１に示すフローチャートに基づいて、コンテンツ記憶装置４２が記憶予約を行うような操作情報４４を含んだ電子メールを受信したときの処理について説明する。
（ステップ６１）メール受信手段６８２が起動する。なお、起動するタイミングは、一定時間おきにタイマによって管理して自動的に起動するように処理を行うことが考えられる。
（ステップ６２）メール受信手段６８２は、メールを受信する。
（ステップ６３）メール受信手段６８２は、メールタイトルが“記憶予約メール”となっているメールが存在するかどうかを判断する。存在すればステップ６４へ進み、存在しなければ終了する。
（ステップ６４）メール情報解釈手段６８３が起動する。
（ステップ６５）メール情報解釈手段６８３は、受信した電子メールの利用者ＩＤ、パスワードを読み込んで、利用者ＩＤ、パスワード記憶手段６７２に記憶されている情報と比較して正しいかどうかを判断する。正しければ、ステップ６６に進み、正しくなければ不正な電子メールが送信されてきたということになるため終了する。
【００６１】
（ステップ６６）メール情報解釈手段６８３は、受信した電子メールの予約日、記憶開始時間、記憶終了時間、記憶チャンネルを読み込む。
（ステップ６７）記憶予約処理手段６８１が起動する。
（ステップ６８）ステップ６７で受信した電子メールの予約日、記憶開始時間、記憶終了時間、記憶チャンネルを読み込んだメール情報解釈手段６８３は、記憶予約処理手段６８１にこれらの情報を渡し、この情報を渡された記憶予約処理手段６８１は、予約情報記憶手段６７１これらの情報を格納する。
【００６２】
（ステップ６９）重複予約チェック手段６９４が起動する。
（ステップ７０）ステップ６９で起動した重複予約チェック手段６９４は、予約情報記憶手段６７１を参照して、記憶予約時間が重複している項目があるかどうかを判断する。全く重複していなければ後述のＣの処理（記憶予約処理）を行う。すべて重複していればステップ７１へすすみ、一部重複していればステップ７３へ進む。
ここで、「全く重複していない」、「すべて重複している」、「一部重複している」の概念を説明すると、
１）図１７で示されるように、記憶予約を設定した各コンテンツの記憶日時が全く異なっていれば全く重複していないと考える。
２）図１８で今Ｎｏ４の記憶予約を行うような電子メールを受信して、その情報が格納されているとすると、Ｎｏ４の記憶予約時間は、Ｎｏ３の記憶予約時間の中にすべて含まれているので、このような場合はすべて重複していると考える。
３）図１９で今Ｎｏ４の記憶予約を行うような電子メールを受信して、その情報が格納されているとすると、Ｎｏ４の記憶予約時間は、Ｎｏ３の記憶予約時間と一部重複している（９：００〜９：２０までが重複している）ので、このような場合は一部重複していると考える。
【００６３】
（ステップ７１）すべて重複しているならばステップ７２に進む。
（ステップ７２）記憶予約処理手段６８１は、新しく設定した記憶予約情報を削除してＣの処理（記憶予約処理）を行う。
ここで、新しく設定した記憶予約情報を削除するという処理は、図１８でＮｏ３の記憶予約時間とすべて重複しているＮｏ４の記憶予約を削除するという処理である。Ｎｏ４の記憶予約を削除することによって、予約情報記憶手段６７１には図１７で示されているような情報が記憶されていることとなる。
【００６４】
（ステップ７３）一部重複しているならばステップ７４に進む。
（ステップ７４）記憶予約処理手段６８１は、重複しないように開始時刻、終了時刻を修正する。その後、Ｃの処理（記憶予約処理）を行う。
ここで、重複しないように開始時刻、終了時刻を修正するという処理は、図１９で新しく予約を設定したＮｏ４の記憶予約時刻がＮｏ３の記憶予約時間に重ならないように、記憶予約時間を変更するという処理である。図１９では、Ｎｏ４の記憶予約時間がＮｏ３の記憶予約時間に９時から９時２０分まで重なっているので、この時間帯の記憶予約を削除して、新しい記憶予約時間として、８時から９時までに変更を行う。図２０は、変更を行った後の予約情報記憶手段６７１の様子を示した図である。変更後はＮｏ３の記憶予約時間とＮｏ４の記憶予約時間が全く重なっておらず、かつ、あとから記憶予約を行ったＮｏ４が他の予約時間と重ならないようになっている。
【００６５】
以上のように、図２１に示されたフローチャートの処理を行うことで、電子メールによって記憶予約を行った場合に、記憶予約時間が先に記憶予約を行った時間帯と一部もしくはすべて重複していたとしても、全く重ならないように自動的に処理が行われ、電子メールで記憶予約時間の変更を利用者に求める必要がなくなる。
【００６６】
次に、図２２に示すフローチャートに基づいて、予約情報記憶手段６７１に格納された記憶予約情報をもとに実際に記憶処理が行われる時のＣの処理について説明する。
（ステップ８１）記憶開始手段６８５が起動する。
（ステップ８２）記憶開始手段６８５は、予約情報記憶手段６７１を参照して、現在時刻から最も早い予約開始時刻までの時間を算出する。
（ステップ８３）記憶開始手段６８５は、ステップ８２で求めた現在時刻から最も早い予約開始時刻までの時間をタイマ６９２にセットする。
（ステップ８４）タイマ６９２は、ステップ８３でセットされた時間をカウントし、時間をカウントし終わったらステップ８５へ進む。
【００６７】
（ステップ８５）記憶処理実行手段６８６が起動する。
（ステップ８６）記憶処理実行手段６８６は、コンテンツ記憶部６７３にコンテンツを記憶する。
（ステップ８７）記憶終了手段６８７が起動する。
（ステップ８８）記憶終了手段６８７は、予約情報記憶手段６７１を参照して、現在コンテンツ記憶部６７３に記憶中のコンテンツが終了するまでの時間を算出する。
（ステップ８９）記憶終了手段６８７は、ステップ８８で求めた、現在コンテンツ記憶部６７３に記憶中のコンテンツが終了するまでの時間をタイマ６９２にセットする。
（ステップ９０）タイマ６９２は、ステップ８９でセットされた時間をカウントし、時間をカウントし終わったらステップ９１に進む。
（ステップ９１）記憶処理実行手段６８６は、コンテンツをコンテンツ記憶部６７３に記憶する処理を終了し、次の記憶を行うためにステップ８１に戻る。
【００６８】
【発明の効果】
以上の記載から明らかなように、本発明によればテレビ放送やラジオ放送を受信して映像や音声記憶中に、放送情報記憶部の記憶容量がなくなった場合、放送情報記憶部に既に映像や音声が記憶されている部分に上書き記憶処理を行って記憶を続けるので、記憶を終了させないで、ユーザが記憶を行いたい番組を確実に記憶することができる。
【００７０】
特に、上書き記憶処理を行う際、放送情報記憶部に記憶されている複数の番組の中で現在時刻（上書き開始時刻）に最も近い時刻から始まった番組の開始位置が記憶されている開始アドレスから上書き記憶を行うことによって、ユーザが記録開始選択手段を選択して記憶命令を出力したときに記憶を開始した番組の内容が消去されることがないので、特に追いかけ再生が可能な記憶装置にあたっては、ユーザがテレビやラジオ受信機の前を離れ視聴を中断する直前のテレビやラジオ放送からしばらくの間の映像や音声を確実に記憶しておくことができる、つまりユーザがテレビやラジオの前を離れている間に記憶された映像や音声が消去される心配がない。
【００７３】
また、請求項３に係る発明によれば、放送の映像や音声を放送情報記憶部へ上書き記憶する処理と放送情報記憶部から映像や音声を再生する処理を同時に行うことができるので、放送中の番組を受信しながら、その番組の記録再生を行う「追いかけ再生」ができ、また番組の進行を一時止めてしかる後進行を再開させることができる。
【図面の簡単な説明】
【図１】本発明の実施例１による番組記憶装置の外観を示す図である。
【図２】番組記憶装置の構成を示すブロック図である。
【図３】番組情報記憶部に番組情報が記憶されている様子を示す図である。
【図４】設定選択手段でユーザが設定を選択後に表示される設定画面を示す図である。
【図５】番組記憶装置の電源オン時の処理を示すフローチャートである。
【図６】記録開始選択手段選択時の処理を示すフローチャートである。
【図７】番組記憶中に放送映像音声記憶部の記憶容量がなくなった時の処理を示すフローチャートである。
【図８】放送映像音声記憶部のメモリ構成を示す図である。
【図９】番組１、番組２が記憶されている放送映像音声記憶部のメモリ構成を示す図である。
【図１０】本発明の実施例２によるコンテンツ記憶装置遠隔操作システムの外観を示す図である。
【図１１】電子メール送受信装置の構成を示すブロック図である。
【図１２】電子メール送受信装置のメール送信時の処理を示すフローチャートである。
【図１３】電子メールのフォーマットを示す図である。
【図１４】電子メールのフォーマットに従って作成した電子メールの例を示す図である。
【図１５】コンテンツ記憶装置の構成を示すブロック図である。
【図１６】コンテンツ記憶装置の記憶予約を自宅で行ったときの処理を示すフローチャートである。
【図１７】予約情報記憶手段に予約情報が記憶されている様子（その１）を示す図である。
【図１８】予約情報記憶手段に予約情報が記憶されている様子（その２）を示す図である。
【図１９】予約情報記憶手段に予約情報が記憶されている様子（その３）を示す図である。
【図２０】予約情報記憶手段に予約情報が記憶されている様子（その４）を示す図である。
【図２１】コンテンツ記憶装置が記憶予約処理命令を含んだ電子メールを受信したときの処理を示すフローチャートである。
【図２２】記憶予約処理を示すフローチャートである。
【図２３】従来の記録再生装置遠隔操作システムを示す概念図である。
【符号の説明】
１０…番組記憶装置、１１…表示手段、１２…入力手段、１２１…電源、１２２…記録開始選択手段、１２３…設定画面表示選択手段、１２４…設定選択手段、１２５…チャンネル変更手段、１２６…追いかけ再生指示選択手段、１３…音声出力手段、１４…チューナ部、１５…放送映像音声抽出部、１６…番組情報抽出部、１７…番組情報記憶部、１８…中央演算処理装置、１９…第１記憶装置、１９１…映像音声記憶処理部、１９２…記憶時間算出処理部、１９３…時間計測部、１９４…上書き記憶処理部、１９５…現在時刻記憶部、１９６…記憶容量管理部、２０…第２記憶装置、２０１…放送映像音声記憶部、２０２…番組記憶情報記憶部、２０３…記憶方式設定情報記憶部、２１…アンテナ、４０…コンテンツ記憶装置遠隔操作システム、４１…電子メール送受信装置、４２…コンテンツ記憶装置、４３…通信回線、４４…コンテンツ記憶予約の操作情報、４５…ＲＯＭ、ＯＳ（Operating System ）ローダ、４６…記憶手段、４６１…ＯＳ、４６２…電子メール送信手段、４６３…電子メール作成手段、４７…通信手段、４８…表示手段、４９…入力手段、５０…中央処理装置、６１…チューナ部、６２…放送映像音声抽出手段、６３…通信手段、６４…ＯＳ（Operating System ）、ローダ、６５…中央処理装置、６６…入力手段、６６１…記憶予約指示選択手段、６６２…テンキー、６７…第１記憶手段、６７１…予約情報記憶手段、６７２…利用者ＩＤ、パスワード記憶手段、６７３…コンテンツ記憶部、６８…第２記憶手段、６８１…記憶予約処理手段、６８２…メール受信手段、６８３…メール情報解釈手段、６８４…重複予約チェック手段、６８５…記憶開始手段、６８６…記憶処理実行手段、６８７…記憶終了手段、６８８…ＯＳ、６９…時計機能手段、６９１…年月日時刻記憶部、６９２…タイマ、７０…アンテナ。
【図１】
0004342081.tif 000002
【図２】
0004342081.tif 000003
【図３】
0004342081.tif 000004
【図４】
0004342081.tif 000005
【図５】
0004342081.tif 000006
【図６】
0004342081.tif 000007
【図７】
0004342081.tif 000008
【図８】
0004342081.tif 000009
【図９】
0004342081.tif 000010
【図１０】
0004342081.tif 000011
【図１１】
0004342081.tif 000012
【図１２】
0004342081.tif 000013
【図１３】
0004342081.tif 000014
【図１４】
0004342081.tif 000015
【図１５】
0004342081.tif 000016
【図１６】
0004342081.tif 000017
【図１７】
0004342081.tif 000018
【図１８】
0004342081.tif 000019
【図１９】
0004342081.tif 000020
【図２０】
0004342081.tif 000021
【図２１】
0004342081.tif 000022
【図２２】
0004342081.tif 000023
【図２３】
0004342081.tif 000024